(57)【特許請求の範囲】
【請求項１】
第１の電極が設けられた第１の基板と，第２の電極が設けられた第２の基板と，前記第１及び第２の基板間に形成され，書き込み状態に応じて所定の波長の光を反射または透過して画像を表示する第１の液晶層とを有する表示パネルと，
前記表示パネルに積層され，第３の電極が設けられた第３の基板と，第４の電極が設けられた第４の基板と，前記第３及び第４の基板間に形成され書き込み状態に応じて前記所定の波長の光を反射または透過する第２の液晶層とを有するフィルタパネルと,
前記表示パネル及びフィルタパネルのうち外光側から最も遠い基板側に設けられた光吸収層とを有し，
前記表示パネルの画素が形成された表示領域の少なくとも一部領域に前記フィルタパネルの第２の液晶層が重なるように構成され，
さらに，前記第１，第２の電極間に電圧を印加するパネル駆動回路と，前記第３，第４の電極間に電圧を印加するフィルタ駆動回路とを有し，
前記パネル駆動回路が所定の画像に応じて前記一部領域内の第１，第２の電極間に電圧を印加して前記画素を反射または透過状態に書き込むと共に，前記フィルタ駆動回路が前記一部領域内の前記第３，第４の電極間に電圧を印加して前記第２の液晶層を透過状態にして前記所定の画像を視認可能状態にするか，または，前記第２の液晶層を反射状態にして前記所定の画像を視認不能状態にすることを特徴とする液晶表示装置。
【請求項２】
請求項１において，
第１，第２，第３の色の波長の光をそれぞれ反射または透過する第１，第２，第３の前記表示パネルが積層され，
前記光吸収層が前記第１，第２及び第３の表示パネル, および前記フィルタパネルのうち最下層の表示パネルの第２の基板側に設けられ，
前記フィルタパネルは，前記第１，第２または第３の色の波長の光のいずれかを反射または透過することを特徴とする液晶表示装置。
【請求項３】
請求項２において，
前記所定の画像が前記フィルタパネルと同じ波長の光を反射または透過する第１，第２または第３の表示パネルに書き込まれることを特徴とする液晶表示装置。
【請求項４】
第１の電極が設けられた第１の基板と，第２の電極が設けられた第２の基板と，前記第１及び第２の基板間に形成され書き込み状態に応じてそれぞれ異なる所定の波長の光を反射または透過して画像を表示する第１の液晶層とをそれぞれ有する第１，第２，第３の表示パネルと，
前記表示パネルに積層され，第３の電極が設けられた第３の基板と，第４の電極が設けられた第４の基板と，前記第３及び第４の基板間に形成され書き込み状態に応じてそれぞれ異なる前記所定の波長の光を反射または透過する第２の液晶層とをそれぞれ有する第１，第２，第３のフィルタパネルと,
前記表示パネル及びフィルタパネルのうち外光側から最も遠い基板側に設けられた光吸収層とを有し，
前記表示パネルの画素が形成された表示領域の少なくとも一部領域に前記フィルタパネルの第２の液晶層が重なるように構成され，
さらに，前記第１，第２の電極間に電圧を印加するパネル駆動回路と，前記第３，第４の電極間に電圧を印加するフィルタ駆動回路とを有し，
前記パネル駆動回路が，所定の画像に応じて，前記第１，第２，第３の表示パネルのいずれかの，前記一部領域内の第１，第２の電極間に電圧を印加して前記画素を反射または透過状態に書き込むと共に，前記フィルタ駆動回路が，前記第１，第２，第３のフィルタパネルの，前記一部領域内の前記第３，第４の電極間に電圧を印加して前記第２の液晶層を透過状態にして前記所定の画像を視認可能状態にするか，または，前記書き込みした表示パネルに対応するフィルタパネルの前記第２の液晶層を透過状態にしそれ以外のフィルタパネルを反射状態にして前記所定の画像を視認不能状態にすることを特徴とする液晶表示装置。
【発明の詳細な説明】
【技術分野】
【０００１】
本発明は，液晶表示装置に関し，特に，電子ペーパとしての実用化が期待されている液晶表示装置に関する。
【背景技術】
【０００２】
電子ペーパは，電子ブック，モバイル端末機器のサブディスプレイ，ＩＣカードの表示部等，多くの携帯機器への適用が提案されている。電子ペーパの有力な表示装置の一つに，コレステリック相が形成される液晶組成物（コレステリック液晶，あるいはカイラルネマティク液晶と称される。本明細書においてはコレステリック液晶に統一する。）を用いた表示装置がある。コレステリック液晶は，半永久的な表示保持特性（メモリ性），鮮やかなカラー表示特性，高コントラスト特性，および高解像度特性等の優れた特徴を有している。
【０００３】
図1は，コレステリック液晶を用いたフルカラー表示可能な液晶表示装置の断面構成を示す図である。液晶表示装置１は，ユーザ３側の表示面から順に，青色表示部１０と，緑色表示部１１と，赤色表示部１２とが積層された構造を有している。図中，上方の基板側が表示面であり，外光２は基板上方から表示面に向かって入射するようになっている。
【０００４】
青色表示部１０は，一対の上下基板１０Ａ，１０Ｂ間に封入された青色用液晶層１０ＬＣと，青用液晶層１０ＬＣに所定のパルス電圧を印加するパルス電圧源１０Ｐとを有している。緑色表示部１１は，一対の上下基板１１Ａ，１１Ｂ間に封入された緑色用液晶層１１ＬＣと，緑色用液晶層１１ＬＣに所定のパルス電圧を印加するパルス電圧源１１Ｐとを有している。赤色表示部１２は，一対の上下基板間１２Ａ，１２Ｂに封入された赤色用液晶層１２ＬＣと，赤色用液晶層１２ＬＣに所定のパルス電圧を印加するパルス電圧源１２Ｐとを有している。そして，赤色表示部１２の下基板１２Ｂの裏面には光吸収層１３が配置されている。
【０００５】
各青，緑，赤用液晶層１０ＬＣ，１１ＬＣ，１２ＬＣに用いられているコレステリック液晶は，ネマティック液晶にキラル性の添加剤（カイラル材ともいう）を数十ｗｔ％の含有率で比較的大量に添加した液晶混合物である。ネマティック液晶にカイラル材を比較的大量に含有させると，ネマティック液晶分子を強く螺旋状に捻ったコレステリック相を形成することができる。このためコレステリック液晶はカイラルネマティック液晶とも称される。
【０００６】
コレステリック液晶は双安定性（メモリ性）を備えており，液晶に印加する電界強度の調節によりプレーナ状態（反射状態），フォーカルコニック状態（透過状態），またはそれらの混合による中間的な状態のいずれかの状態をとることができる。そして，コレステリック液晶は，一旦プレーナ状態，フォーカルコニック状態，またはそれらの中間的な状態になると，その後電界がなくなっても安定してその状態を保持する。
【０００７】
プレーナ状態は，例えば，上下基板間に所定の高電圧を印加して液晶層に強電界を与え，液晶をホメオトロピック状態にした後，急激に電界をゼロにすることにより得られる。また，フォーカルコニック状態は，例えば，上記高電圧より低い所定電圧を上下基板間に印加して液晶層に電界を与えた後，急激に電界をゼロにすることにより得られる。あるいは，フォーカルコニック状態は，プレーナ状態から徐々に電圧を加えることでも得ることができる。そして，プレーナ状態とフォーカルコニック状態の中間的な状態は，例えば，フォーカルコニック状態が得られる電圧よりも低い電圧を上下基板間に印加して液晶層に電界を与えた後，急激に電界をゼロにすることにより得られる。
【０００８】
図２は，コレステリック液晶を用いた液晶表示装置の表示原理を示す図である。図２では，青色表示部を例に説明する。図２（ａ）は，青色表示部１０の青色用液晶層１０ＬＣがプレーナ状態でのコレステリック液晶の液晶分子ＬＣの配向状態を示している。図２（ａ）に示すように，プレーナ状態での液晶分子ＬＣは，基板厚方向に順次回転して螺旋構造を形成し，螺旋構造の螺旋軸は基板面にほぼ垂直になる。
【０００９】
プレーナ状態では，液晶分子の螺旋ピッチに応じた所定波長の光が選択的に液晶層で反射される。液晶層の平均屈折率をｎとし，螺旋ピッチをｐとすると，反射が最大となる波長λは，λ＝ｎ・ｐで示される。従って，例えばλ＝４８０ｎｍとなるように平均屈折率ｎ及び螺旋ピッチｐを決めと，青色表示部１０の青色用液晶層１０ＬＣは，プレーナ状態時に青色の光を選択的に反射させる。平均屈折率ｎは液晶材料及びカイラル材を選択することで調整でき，螺旋ピッチｐはカイラル材の含有率を調整することにより調節することができる。
【００１０】
図２（ｂ）は，青色表示部１０の青色用液晶層ＬＣがフォーカルコニック状態におけるコレステリック液晶の液晶分子の配向状態を示している。図２（ｂ）に示すように，フォーカルコニック状態での液晶分子は，基板面内方向に順次回転して螺旋構造を形成し，螺旋構造の螺旋軸は基板面にほぼ平行になる。フォーカルコニック状態では，青色用液晶層１０ＬＣに反射波長の選択性は失われ入射光２の殆どが透過する。そして，透過光は赤色表示部１２の下基板１２Ｂの裏面に配置された光吸収層１３で吸収されるので，暗色（黒色）表示になる。
【００１１】
プレーナ状態とフォーカルコニック状態の中間の状態では，その状態に応じて反射光と透過光の割合を調整できるので，反射光の強度を可変できる。このように，コレステリック液晶では，螺旋状に捻られた液晶分子の配向状態で光の反射量を制御することができる。
【００１２】
上記の青色用液晶層と同様に，緑色用液晶層及び赤色用液晶層に，プレーナ状態時に緑または赤の光を選択的に反射させるコレステリック液晶をそれぞれ封入すると，フルカラー表示の液晶表示装置が実現できる。
【００１３】
図３は，各液晶層１０ＬＣ，１１ＬＣ，１２ＬＣのプレーナ状態での反射スペクトルの一例を示している。横軸は，反射光の波長（ｎｍ）を表し，縦軸は，反射率（白色板比；％）を表している。Ｂ用液晶層１０ＬＣ，Ｇ用液晶層１１ＬＣ，Ｒ用液晶層１２ＬＣでの反射スペクトルが図示されている。図３に示すように，各液晶層１０ＬＣ，１１ＬＣ，１２ＬＣのプレーナ状態での反射スペクトルの中心波長は，Ｂ，Ｇ，Ｒの順に長くなるので，コレステリック液晶の螺旋ピッチは，液晶層１０ＬＣ，１１ＬＣ，１２ＬＣの順に長くなる。このため，液晶層１０ＬＣ，１１ＬＣ，１２ＬＣのコレステリック液晶のカイラル材の含有率は，液晶層１０ＬＣ，１１ＬＣ，１２ＬＣの順に低くする必要がある。
【００１４】
一般に，反射波長が短くなるほど液晶分子を強く捻って螺旋ピッチを短くする必要があるので，コレステリック液晶中のカイラル材の含有率は高くなる。また，一般に，カイラル材の含有率が高くなるほど駆動電圧が高くなる傾向がある。また，反射帯域幅Δλはコレステリック液晶の屈折率異方性Δｎが大きくなるに従って大きくなる。
【００１５】
一般に，電子ペーパはメモリ性を持つので，電源オフにしても半永久的に表示状態を維持するようになっている。そのため，機密情報を表示するとその機密情報が表示されたままになり，セキュリティの観点から好ましくない場合がある。これはコレステリック液晶を用いた液晶表示装置の場合にもあてはまる。
【００１６】
電子ペーパにおいて，表示された情報のセキュリティ性を高める方法が，以下の特許文献１に記載されている。特許文献１に記載された電子ペーパは，透明電極間に光導電層を設け，光パターンを照射した後に光導電層に電圧を印加すると光パターンが照射されたところが反射状態になり，光照射領域の画像を表示する。つまり，複写機の印刷用紙に代わる電子ペーパである。
【００１７】
そして，特許文献１の電子ペーパでは，通常の光照射領域の画像を表示する第１の画像表示層の表示側に，別の画像を表示する第２の画像表示層を積層し，第２の画像表示層に別の画像を表示している時は，第１の画像表示層の表示画像が視認できなくなり，第２の画像表示層を透過状態にしている時には，第１の画像表示層の表示画像が視認できるようになる。第１の画像表示層に機密情報を表示しても，第２の画像表示層を透過状態にしなければその機密情報が視認できなくなり，機密情報を表示するためには第２の画像表示層を透過状態にすればよい。
【特許文献１】特開２００４−３５４６６１号公報
【発明の開示】
【発明が解決しようとする課題】
【００１８】
しかしながら，特許文献１に記載された電子ペーパは，第１，第２の画像表示層を積層して，両画像表示層に画像を書き込み表示できる情報量を増大させている。よって，両方の画像表示層に画像書き込みができるようになっていて，構成が複雑である。
【００１９】
そこで，本発明の目的は，簡単な構成で表示画像の機密性を高くすることができる液晶表示装置を提供することにある。
【課題を解決するための手段】
【００２０】
上記の目的を達成するために，本発明の第１の側面によれば，第１の電極が設けられた第１の基板と，第２の電極が設けられた第２の基板と，前記第１及び第２の基板間に形成され、書き込み状態に応じて所定の波長の光を反射または透過して画像を表示する第１の液晶層とを有する表示パネルと，前記表示パネルに積層され，第３の電極が設けられた第３の基板と，第４の電極が設けられた第４の基板と，前記第３及び第４の基板間に形成され書き込み状態に応じて前記所定の波長の光を反射または透過する第２の液晶層とを有するフィルタパネルと,
前記表示パネル及びフィルタパネルのうち外光側から最も遠い基板側に設けられた光吸収層とを有し，前記表示パネルの前記画素が形成された表示領域の少なくとも一部領域に前記フィルタパネルの第２の液晶層が重なるように構成され，さらに，前記第３，第４の電極間に電圧を印加するフィルタ駆動回路と，前記フィルタ駆動回路にフィルタ用電圧を供給するフィルタ電圧回路とを有することを特徴とする液晶表示装置である。
【００２１】
上記の第１の側面において，好ましい態様によれば，第１，第２，第３の色の波長の光をそれぞれ反射または透過する第１，第２，第３の前記表示パネルが積層され，前記光吸収層が前記第１，第２及び第３の表示パネル，および前記フィルタパネルのうち最下層の表示パネルの第２の基板側に設けられ，前記フィルタパネルは，前記第１，第２または第３の色の波長の光のいずれかを反射または透過することを特徴とする液晶表示装置である。
【００２２】
上記の第１の側面において，好ましい態様によれば，機密情報が前記フィルタパネルと同じ波長の光を反射または透過する第１，第２または第３の表示パネルに書き込まれ，前記フィルタパネルを反射状態にして前記機密情報の表示が隠蔽され，前記フィルタパネルを透過状態にして前記機密情報の表示が行われることを特徴とする液晶表示装置である。
【００２３】
この好ましい態様によれば，機密情報と非機密情報とを混在させて表示し，機密情報のみを非表示状態にすることができる。
【００２４】
上記の第１の側面において，好ましい態様によれば，第１，第２，第３の色の波長の光をそれぞれ反射または透過する第１，第２，第３の前記表示パネルが積層され，第１，第２，第３の色の波長の光をそれぞれ反射または透過する第１，第２，第３の前記フィルタパネルが積層されていることを特徴とする液晶表示装置である。
【００２５】
上記の第１の側面において，好ましい態様によれば，前記第１，第２，第３の表示パネルのいずれか１つ，２つまたは３つに機密情報が書き込まれ，前記第１，第２，第３のフィルタパネルのいずれか１つ，２つまたは３つが反射状態にされて前記機密情報の表示が隠蔽されることを特徴とする液晶表示装置である。
【００２６】
この好ましい態様によれば，機密情報と非機密情報とを混在させて表示し，機密情報のみを非表示状態にすることができる。
【発明の効果】
【００２７】
本発明によれば，表示パネルに簡単な構成のフィルタパネルを積層することで，表示パネルに表示される機密情報を視認可能状態と視認不能状態とに切り換えることができる。
【発明を実施するための最良の形態】
【００２８】
以下，図面にしたがって本発明の実施の形態について説明する。但し，本発明の技術的範囲はこれらの実施の形態に限定されず，特許請求の範囲に記載された事項とその均等物まで及ぶものである。
【００２９】
本発明は，コレステリック液晶材料以外に，電子粉流体や電気泳動などを利用した同様の表示装置に適用可能である。以下，表示装置の一例として，青（Ｂ），緑（Ｇ），および赤（Ｒ）用コレステリック液晶を用いた液晶表示装置および電子ペーパについて説明する。
【００３０】
〔第１の実施の形態〕
図４は，第１の実施の形態における表示装置の断面図である。緑（Ｇ）用コレステリック液晶を用いた液晶表示装置を例にして説明する。この表示装置は，Ｇ色表示パネル１１の上（表示面側）にＧ色フィルタパネル１４が積層されている。Ｇ色表示パネル１１は，ストライプ状にパターニングされた複数の透明電極１１Ｅをそれぞれ有し対向配置された一対の透明基板１１Ａ，１１Ｂと，両基板間の透明電極１１Ｅの間に封止されたＧ用液晶層１１ＬＣとを有する。Ｇ用液晶層１１ＬＣは，緑色の光の波長を選択的に反射または透過するように平均屈折率ｎや螺旋ピッチｐが調整されたＧ用コレステリック液晶からなる。両基板１１Ａ，１１Ｂの透明電極１１Ｅは互いに直交するように配置され，交差する位置が画素を構成する。
【００３１】
後で詳述するとおり，両透明電極１１Ｅ間に高い電圧を印加した後に電界ゼロにすることで画素を反射状態（緑表示）にすることができ，低い電圧を印加した後に電界ゼロにすることで画素を透過状態（黒表示）にすることができる。
【００３２】
一方，Ｇ色フィルタパネル１４は，表示パネル１１の表示面側（上側）に接着層１５を介して積層されている。Ｇ色表示パネル１１とＧ色フィルタパネル１４は上下逆でも良い。フィルタパネル１４は，全面に透明電極１４Ｅを有し，対向配置された一対の上下基板１４Ａ，１４Ｂと，両基板の透明電極１４Ｅ間に封止されたフィルタ用液晶層１４ＬＣとを有する。このフィルタ用液晶層１４ＬＣは，Ｇ用液晶層１１ＬＣと螺旋の向き，ピッチがほぼ同一の液晶であり，好ましくは同一の液晶材料である。この両透明電極１４Ｅ間に高い電圧を印加した後に電界ゼロにすることで，フィルタ用液晶層１４ＬＣを反射状態にすることができ，低い電圧を印加した後に電界ゼロにすることでフィルタ用液晶層１４ＬＣを透過状態にすることができる。
【００３３】
また，表示側から一番遠い透明基板１１Ｂのどちらかの面に可視光吸収層１３が設けられる。本実施例では，外面に可視光吸収層が設けられている。なお，透明基板１１Ｂ自体を着色しても良い。
【００３４】
表示パネル１１では，従来と同様に各画素の液晶層１１ＬＣを反射状態（緑表示）または透過状態（黒表示）にして，所望の画像を書き込み表示することができる。さらに，フィルタパネル１４を反射状態にすると表示側からは全面緑色になり，表示パネル１１に書き込まれた画像を視認することができなくなる。これにより，機密情報である画像を隠蔽することができる。フィルタパネル１４を透過状態にすると，表示パネル１１に書き込まれた黒地に緑の画像または緑地に黒の画像を表示することができる。つまり，フィルタパネル１４の液晶層１４ＬＣを透過状態にすると通常表示状態になり，反射状態にすると機密情報隠蔽状態になる。
【００３５】
Ｇ用液晶層１１ＣＬ及びフィルタ用液晶層１４ＬＣを構成する液晶組成物は，ネマティック液晶混合物にカイラル材を10〜40wt％添加したコレステリック液晶である。このカイラル材の添加率はネマティック液晶成分とカイラル材との合計量を100wt％としたときの値である。ネマティック液晶としては従来公知の各種のものを用いることができるが，コレステリック液晶組成物としての誘電率異方性Δεが２０≦Δε≦５０であることが好ましい。誘電率異方性Δεが20以上であれば，使用可能なカイラル材の選択範囲は広くなる。また，誘電率異方性Δεが上記範囲より低すぎると，液晶層の駆動電圧が高くなってしまう。一方，誘電率異方性Δεが上記範囲より高すぎると，液晶表示素子としての安定性や信頼性が低下して画像欠陥や画像ノイズが発生し易くなる。
【００３６】
コレステリック液晶の屈折率異方性Δｎは，画質を支配する重要な物性である。この屈折率異方性Δｎの値は，０．１８≦Δｎ≦０．２４であることが好ましい。屈折率異方性Δｎがこの範囲より小さいと，プレーナ状態での各液晶層の反射率が低くなるので明るさが不足した暗い表示となる。一方，屈折率異方性Δｎが上記範囲より大きいと，液晶層はフォーカルコニック状態での散乱反射が大きくなるので，表示画面の色純度及びコントラストが不足してぼやけた表示になる。さらに，屈折率異方性Δｎが上記範囲より大きいと粘度が高くなるので，コレステリック液晶の応答速度は低下する。
【００３７】
コレステリック液晶の比抵抗ρの値は，１０１０≦ρ≦１０１３（Ω・ｃｍ）であることが好ましい。また，コレステリック液晶の粘性は低い方が低温時の電圧上昇やコントラスト低下を抑制できるので好ましい。
【００３８】
基板１１Ａ，１１Ｂ，１４Ａ，１４Ｂは，透光性を有することが必要である。本実施の形態では２枚のガラス基板を２組用いている。また，ガラス基板に代えてポリカーボネート（ＰＣ）やポリエチレンテレフタレート（ＰＥＴ）等のフィルム基板を使用することもできる。本実施の形態では，上基板及び下基板はいずれも透光性を有しているが，最下層に配置される表示パネル１１の下の基板１１Ｂは不透光性であってもよい。
【００３９】
Ｇ表示パネル１１の上基板１１Ａには，ストライプ状の複数のデータ電極１１Ｅが並列して形成されている。また，下基板側１１Ｂには，データ電極と直交するストライプ状の複数の走査電極１１Ｅが並列して形成されている。本実施の形態では，複数の走査電極及び複数のデータ電極は，インジウム錫酸化物（Ｉｎｄｉｕｍ  Ｔｉｎ  Ｏｘｉｄｅ；ＩＴＯ）からなるストライプ状の透明電極からなる。両電極の形成材料としては，例えばＩＴＯ以外に，インジウム亜鉛酸化物（Ｉｎｄｉｕｍ  Ｚｉｃ  Ｏｘｉｄｅ；ＩＺＯ）等の透明導電膜やアモルファスシリコン等の光導電性膜等を用いることができる。
【００４０】
両電極１１Ｅ上には機能膜として，それぞれ絶縁性薄膜や液晶分子の配向安定化膜（いずれも図示せず）がコーティングされていることが好ましい。絶縁性薄膜は，電極間の短絡を防止したり，ガスバリア層として液晶表示素子の信頼性を向上させたりする機能を有している。また，配向安定化膜には，ポリイミド樹脂やアクリル樹脂等を用いることができる。本実施の形態では，例えば電極上のそれぞれの基板全面には，配向安定化膜が塗布（コーティング）されている。配向安定化膜は絶縁性薄膜と兼用されてもよい。
【００４１】
上下基板１１Ａ，１１Ｂ，１４Ａ，１４Ｂの外周囲に塗布されたシール材（図示せず）により液晶層１１ＬＣ，１４ＬＣが両基板間に封入されている。また，液晶層の厚さ（セルギャップ）は均一に保持する必要があり，所定のセルギャップを維持するには，樹脂製又は無機酸化物製の球状スペーサを液晶層内に散布したり，表面に熱可塑性の樹脂がコーティングされた柱状スペーサを液晶層内に複数形成したりする。本実施の形態の液晶表示素子においても，液晶層内にスペーサ（図示せず）が挿入されて約4μmのセルギャップが均一に保持されている。液晶層のセルギャップｄは，３μｍ≦ｄ≦６μｍの範囲であることが好ましい。
【００４２】
図５は，本実施の形態における表示パネルの駆動ユニットの構成図である。表示パネル１１の一方の基板には，複数の走査電極を個別に駆動する走査電極用ドライバＩＣが実装された走査電極駆動回路３１が接続されている。また，他方の基板には，複数のデータ電極を個別に駆動するデータ電極用ドライバＩＣが実装されたデータ電極駆動回路３０が接続されている。
【００４３】
さらに，表示パネルの駆動ユニットは，３〜５Ｖの電源電圧を昇圧する昇圧部４０と，昇圧部４０からの昇圧電圧を抵抗分割などにより複数の電圧を生成するドライブ電圧発生回路４２と，ドライブ電圧発生回路４２が生成した電圧を一定値に制御する電圧レギレータ４４とを有し，電圧レギレータ４４が生成した複数の電圧，例えば，３２Ｖ，２８Ｖ，２４Ｖ，８Ｖ，４Ｖ，０Ｖが駆動回路３０，３１に供給される。
【００４４】
駆動回路３０，３１は，スキャンタイミングに同期して走査パルス信号Ｖｓを生成する走査電極駆動回路として動作するスキャンモードと，書き込みデータに応じてデータパルス信号Ｖｄを生成するデータ電極駆動回路として動作するデータモードとに切換可能である。
【００４５】
これらの駆動回路３０，３１を制御する駆動制御回路５０は，駆動回路３１，３０にスキャン／データモード信号６１Ａ，６１Ｂ（インバータ５４で反転）を供給して，スキャンモードまたはデータモードのいずれかに切り換える。すなわち，走査電極駆動回路３１がスキャンモード，データ電極駆動回路３０がデータモードに制御されると縦方向スキャンになり，走査電極駆動回路３１がデータモード，データ電極駆動回路３０がスキャンモードに制御されると横方向スキャンになる。
【００４６】
ドライバ制御回路５０は，上記モード信号６１以外に，書き込みデータの取り込みタイミングを示すデータ取り込みクロック６２と，駆動パルスの反転，非反転を指示するパルス極性制御信号６３と，書き換え制御の開始を示すフレーム開始信号６４と，スキャンのシフトタイミングを制御するデータラッチ／スキャンシフト信号６５と，ドライバ出力をオフにするドライバ出力オフ信号６６とを，駆動回路３０，３１に供給する。また，ドライバ制御回路５０は，表示データ６８を，データモードに切り換えられた駆動回路３０，３１に供給する。
【００４７】
画像データメモリ４６には，少なくとも１フレーム分の画像データが格納される。そして，ドライバ制御回路５０内のデータ変換回路５２は，画像データメモリ４６から画素毎の画像データを読み出し，データモードに制御された駆動回路３０または３１に供給する駆動画像データに変換する。データモードの駆動回路３０，３１は，この駆動画像データに応じて電極を駆動する。
【００４８】
後で詳述するデータ電極の駆動とスキャン電極の駆動とにより，表示パネル１１には所望の画像を書き込み表示することができる。
【００４９】
図５の表示パネル１１とドライバ回路３１，３０とからなる表示ユニットは，それ以外の駆動回路群から着脱可能に構成されても良い。つまり，駆動回路群により表示ユニット１１に所望の画像を書き込んだ後は，駆動回路群を切り離して表示ユニット１１のみを持ち運びすることができる。
【００５０】
図６は，本実施の形態におけるフィルタパネルの駆動ユニットの構成図である。フィルタパネル１４には，図４で示したとおり，パネル全体を占めるベタの透明電極が上下の基板１４Ａ，１４Ｂに設けられ，その透明電極間にコレステリック液晶層が設けられている。そして，駆動ユニットは，これらの透明電極を駆動するドライバ回路７８と，そのドライバ回路７８を制御するフィルタドライブ制御回路８０と，電池などのバッテリ７０と，バッテリ電圧を昇圧する昇圧部７２と，昇圧部７２が生成した電圧を抵抗分割などすることにより高低の駆動電圧を生成するフィルタ駆動電圧発生回路７４と，フィルタ駆動電圧発生回路７４が生成した駆動電圧を一定に保ってドライバ回路７８に供給する電圧レギレータ７６とを有する。
【００５１】
フィルタドライブ制御回路８０には，ＯＮ／ＯＦＦ切換信号８６が供給され，その信号に応じて電圧切換信号８２がドライバ回路７８に供給される。また，フィルタドライブ制御回路８０は，ドライバ出力のＯＮ／ＯＦＦ制御する信号８４をドライバ回路７８に供給する。
【００５２】
後述するとおり，フィルタパネル１の透明電極間に高い電圧を印加しその直後に電圧をオフにすると，コレステリック液晶層がプレーナ状態（反射状態）になり，表示パネル１１に表示された画像が認識不能になる。また，フィルタパネル１の透明電極間に低い電圧を印加しその直後に電圧をオフにすると，コレステリック液晶層がフォーカルコニック状態（透過状態）になり，表示パネル１１に表示された画像が認識可能になる。
【００５３】
そこで，電圧レギレータ７６は，高い電圧と低い電圧を生成し，フィルタドライバ制御回路８０は，電圧切換信号８２により駆動電圧を低い電圧にして表示装置を画像出力状態（画像認識可能状態）にし，駆動電圧を高い電圧にして表示装置を画像不出力状態（認識不能状態）にする。この画像出力のＯＮとＯＦＦは，ＯＮ／ＯＦＦ切換信号８６に応じて制御される。
【００５４】
表示装置に備えたスイッチ，あるいは，表示装置の外部に設けられたタイマや光センサなどからの切換信号に応答して，ＯＮ／ＯＦＦ切換信号８６がフィルタドライブ制御回路８０に入力されると，フィルタドライブ制御回路８０がドライバ回路７８を制御して，フィルタパネル１４へ所定の駆動電圧を所定時間印加させる。それにより，フィルタパネルの液晶層を透明状態から反射状態，または，反射状態から透明状態へ切り替えることができる。フィルタパネルの液晶層全面を反射状態とすると，フィルタ液晶層と表示Ｇ用液晶層の反射特性がほぼ同じため，Ｇ色表示部の表示画像を外光側から見えなくすることができる。
【００５５】
さらに，認証回路８８を設けて，外部からの認証データ９０を認証し，認証された時に画像出力状態にし，認証されない時は画像不出力状態を維持するようにしてもよい。これにより，認証されたユーザに対してのみ機密情報を表示することができる。
【００５６】
また，本実施の形態では，Ｇ色フィルタパネルの駆動用電源７０を，Ｇ色表示パネルの駆動用電源（図５の昇圧部４０の入力電圧３〜５Ｖ）と独立させている。このとき，Ｇ色表示パネル１１については何ら特別な操作を必要としないため，Ｇ色表示パネル１１を駆動するための駆動回路や電源がＯＦＦ状態あるいは表示パネル１１から切り離された状態でも，表示装置の表示／非表示を簡単に切り替えることができる。
【００５７】
さらに，フィルタ用液晶層の透過／反射状態を切り替えるスイッチを付けることにより，使用者の意思で表示／非表示を簡便に切り替える表示装置を実現できる。さらに，フィルタパネル駆動制御回路８０は，公知の無線技術等を用いて，表示装置の外部から駆動させることができる。従って，表示装置および/または使用者を認識する公知の手法，例えば，ＩＤやパスワード，ＲＦＩＤなど，を用いると，特定の場所のみ，あるいは特定の使用者や表示装置のみ，情報を開示するよう外部からコントロールすることができる。
【００５８】
図６において，フィルタパネル１４の駆動回路群は，表示パネル１１をその駆動回路群から切り離した後も，接続状態を維持することが望ましい。それにより，表示装置を持ち出した状態で，機密情報の非表示状態に切り換えることができる。
【００５９】
次に，表示パネル１１とフィルタパネル１４の駆動方法について説明する。
【００６０】
図７は，本実施の形態におけるコレステリック液晶の電圧−反射率特性の一例を示す図である。横軸はコレステリック液晶に印加される電圧値（Ｖ）を表し，縦軸はコレステリック液晶の反射率（％）を表している。図中の実線Ｐは，初期状態がプレーナ状態（反射率大）における電圧−反射率特性を示し，破線の曲線ＦＣは，初期状態がフォーカルコニック状態（反射率小）における電圧−反射率特性を示している。
【００６１】
フォーカルコニック状態（反射率小の透明状態）からプレーナ状態（反射率大の反射状態）へ切り替える場合は，コレステリック液晶に所定の高電圧ＶＰ１００（例えば，３２Ｖ）を数msから数十msの間印加する。強い電界が生じると，液晶分子の螺旋構造は完全にほどけ，全ての液晶分子が電界の向きに従うホメオトロピック状態になる。次に，液晶印加電圧ＶＰ１００を急激にほぼゼロまで下げると，液晶分子は螺旋軸が両電極に対してほぼ垂直な方向に向く螺旋状態になり，螺旋ピッチに応じた光を選択的に反射するプレーナ状態になる。
【００６２】
一方，プレーナ状態（反射率大の反射状態）からフォーカルコニック状態（反射率小の透明状態）へ切り替える場合は，コレステリック液晶に高電圧ＶＰ１００より低い所定の電圧ＶＦ１００（例えば，２４Ｖ，図中ＶＦ１００ａ〜ＶＦ１００ｂの間）を数msから数十msの間印加した後，液晶印加電圧ＶＦ１００を急激にほぼゼロまで下げる。液晶分子は螺旋軸が両電極に対してほぼ平行な方向に向く螺旋状態になり，入射光を透過するフォーカルコニック状態になる。なお，ＶＰ１００の高電圧を印加して，液晶層に強い電界を生じさせた後に，緩やかに電界を除去しても，コレステリック液晶をフォーカルコニック状態にすることができる。
【００６３】
上記の原理により，表示パネルでは透明電極が交差する画素においてプレーナ状態（反射状態）かフォーカルコニック状態（透過状態）かにすることで，所望の画像を形成することができる。また，フィルタパネルでも透明電極間の液晶層をプレーナ状態（反射状態，非表示状態）か，フォーカルコニック状態（透過状態，表示状態）にすることができる。
【００６４】
図８は，本実施の形態における液晶表示パネルの駆動データの駆動波形の一例を示す図である。図８（ａ）は，コレステリック液晶をプレーナ状態に駆動するための駆動波形であり，図８（ｂ）は，コレステリック液晶をフォーカルコニック状態に駆動するための駆動波形である。図８（ａ）および図８（ｂ）において，データ電極駆動回路３０から出力されるデータ信号の電圧波形Ｖｄと，走査電極駆動回路３１から出力される走査信号の電圧波形Ｖｓと，両電圧Ｖｄ，Ｖｓの印加により各ピクセルに印加される印加電圧波形Ｖｌｃとを示している。また，図の左から右は時間経過に，図の上下方向は電圧に対応している。
【００６５】
ここで，Ｇ表示パネルの第１列目のデータ電極と第１行目の走査電極との交差部のピクセルに所定の電圧を印加する場合を例にして説明する。
【００６６】
第１に，プレーナ状態への書き込みについて説明する。図８（ａ）に示すように，第１行目の走査電極Ｓ１が選択される選択期間Ｔ１の前半の約１／２の期間では，データ信号電圧Ｖｄが＋３２Ｖとなるのに対し走査信号電圧Ｖｓが０Ｖとなり，後半の約１／２の期間では，データ信号電圧Ｖｄが０Ｖとなるのに対し走査信号電圧Ｖｓが＋３２Ｖとなる。このため，ピクセルの液晶層には，印加電圧Ｖｌｃに示すとおり，選択期間Ｔ１の間に±３２Ｖのパルス電圧が印加される。
【００６７】
上記のように，ピクセルの液晶層への印加電圧Ｖｌｃ，±３２Ｖは，図７に示す高電圧ＶＰ１００に対応する。図７に示すように，コレステリック液晶に所定の高電圧ＶＰ１００（例えば，３２Ｖ）が印加されて強い電界が生じると，液晶分子の螺旋構造は完全にほどけ，全ての液晶分子が電界の向きに従うホメオトロピック状態になる。従って，Ｂピクセル（１，１）のＢ用液晶層の液晶分子は選択期間Ｔ１では，ホメオトロピック状態になる。
【００６８】
次に，図８（ａ）において，選択期間Ｔ１が終了して非選択期間Ｔ２になると，第１行目の走査電極Ｓ１には，例えば＋２８Ｖおよび＋４Ｖの走査信号電圧Ｖｓが非選択期間Ｔ２の前半と後半の１／２の周期でそれぞれ印加される。一方，１列目のデータ電極Ｄ１には，所定のデータ信号電圧Ｖｄが印加される。このデータ信号電圧Ｖｄは，２列目のデータ電極Ｄ２への書き込み電圧であるが，それに対応する走査電極Ｓ１の走査信号電圧Ｖｓはデータ信号電圧Ｖｄと同相になっている。その結果，ピクセルの液晶層には，非選択期間Ｔ２の間に±４Ｖのパルス電圧Ｖｌｃが印加される。これにより，非選択期間Ｔ２の間では，Ｂピクセル（１，１）のＢ用液晶層に生じる電界はほぼゼロになる。
【００６９】
図７において，液晶印加電圧Ｖｌｃが高電圧ＶＰ１００（±３２Ｖ）で液晶分子がホメオトロピック状態から，当該液晶印加電圧が低電圧ＶＦ０（±４Ｖ）に急激に変化して電界がほぼゼロになると，液晶分子は螺旋軸が両電極に対してほぼ垂直な方向に向く螺旋状態になり，螺旋ピッチに応じた光を選択的に反射するプレーナ状態になる。従って，ピクセルの液晶層は光を反射して，ピクセル（１，１）は緑を表示する。
【００７０】
第２に，フォーカルコニック状態への書き込みについて説明する。図８（ｂ）に示すように，選択期間Ｔ１の前半の約１／２の期間及び後半の約１／２の期間で，データ信号電圧Ｖｄが２４Ｖ／８Ｖとなるのに対し，走査信号電圧Ｖｓが０Ｖ／＋３２Ｖとなる。つまり，走査信号電圧Ｖｓは図８（ａ）と同じであるが，データ信号電圧Ｖｄが小さい。この結果，ピクセルの液晶層には，±２４Ｖのパルス電圧Ｖｌｃが印加される。この±２４Ｖが図７の低電圧ＶＦ１００ｂに対応する。
【００７１】
図７に示すように，コレステリック液晶に所定の低電圧ＶＦ１００ｂ（例えば，２４Ｖ）が印加されて弱い電界が生じると，液晶分子の螺旋構造が完全には解けない状態になる。
【００７２】
次に，非選択期間Ｔ２になると，第１行目の走査電極Ｓ１には，例えば＋２８Ｖ／＋４Ｖの走査信号電圧Ｖｓが選択期間Ｔ１の１／２の周期で印加され，データ電極Ｄ１には，所定のデータ信号電圧（例えば＋２４Ｖ／８Ｖ）Ｖｄが選択期間Ｔ１の前半と後半の１／２の周期で印加される。このデータ信号電圧Ｖｄは，例えば２列目の走査電極Ｄ２に書き込みをするための電圧である。上記走査信号電圧Ｖｓとデータ信号電圧Ｖｄの印加により，Ｂピクセル（１，１）のＢ用液晶層には，非選択期間Ｔ２の間に，−４Ｖ／＋４Ｖのパルス電圧Ｖｌｃが印加される。これにより，非選択期間Ｔ２の間では，ピクセルの液晶層に生じる電界はほぼゼロになる。
【００７３】
図７において，液晶印加電圧Ｖｌｃが低電圧ＶＦ１００ｂ（±２４Ｖ）で液晶分子の螺旋構造が完全には解けない状態から，印加電圧ＶｌｃがＶＦ０（±４Ｖ）に変化して急激に電界がほぼゼロになると，液晶分子は螺旋軸が両電極に対してほぼ平行な方向に向く螺旋状態になり，入射光を透過するフォーカルコニック状態になる。従って，ピクセルの液晶層は光を透過するので，光吸収層１３により黒色が表示される。
【００７４】
なお，図７に示すように，ＶＰ１００（Ｖ）の電圧を印加して，液晶層に強い電界を生じさせた後に，緩やかに電界を除去しても，コレステリック液晶はフォーカルコニック状態にすることができる。
【００７５】
図８において，各選択期間Ｔ１と非選択期間Ｔ２とでそれぞれ逆相パルスを印加する理由は，液晶層の劣化を防止するためであり，液晶層の駆動方式としては一般的である。また，図８（ａ）において，非選択期間Ｔ２でデータ信号電圧Ｖｄが＋２４Ｖ／８Ｖになったとしても，印加電圧Ｖｌｃは＋４Ｖ／−４Ｖになり，ピクセルは同様に実質的に電界ゼロになる。同様に，図７（ｂ）において，非選択期間Ｔ２でデータ信号電圧Ｖｄが＋３２Ｖ／０Ｖになったとしても，印加電圧Ｖｌｃは−４Ｖ／＋４Ｖになり，ピクセルは同様に実質的に電界ゼロになる。つまり，非選択期間Ｔ２では，走査信号電圧Ｖｓをデータ信号電圧Ｖｄと同相にし且つその電圧値を＋２８Ｖ／４Ｖにして，データ信号電圧Ｖｄがとりうる２種類の電圧（＋３２Ｖ／０Ｖ，＋２４Ｖ／８Ｖ）のいずれになっても，ピクセルへの印加電圧Ｖｌｃが±４Ｖとなるようにしている。
【００７６】
上記駆動電圧と駆動方法は一例であり，室温で，両電極間に３０〜３５Ｖのパルス状電圧を実効時間２０〜１００ｍｓ印加すると，液晶層のコレステリック液晶は選択反射状態（プレーナ状態）となり，１５〜２２Ｖのパルス状の電圧を実効時間２０〜１００ｍｓ印加すると，良好な透過状態（フォーカルコニック状態）となる。
【００７７】
第１行から第ｎ行までの走査電極を線順次で駆動させて１行毎に各データ電極のデータ電圧を書き換えることにより，マトリクス状の全てのピクセルに表示データを書き込み１フレーム（表示画面）分の画像表示が実現できる。なお，コレステリック液晶に中間的な強さの電界を与え，急激に当該電界を除去すると，プレーナ状態とフォーカルコニック状態とが混在した中間調となり，フルカラーの表示が可能となる。
【００７８】
図９は，フィルタパネルのドライバ回路による駆動波形を示す図である。図９には，フィルタドライブ制御回路８０がドライバ回路７８に与える電圧切換信号８２とドライバ出力ＯＮ／ＯＦＦ信号８４と，ドライバ回路７８がフィルタパネルの透明電極間に印加する駆動電圧Ｖｐとが示されている。
【００７９】
電圧切換信号８２がＨレベルの時に，ドライバ出力ＯＮ／ＯＦＦ信号８４がＨレベルの間，フィルタパネル１４の透明電極間に低い電圧±２４Ｖの駆動電圧Ｖｐが印加され，その後印加電圧ゼロにされる。これにより，フィルタパネル１４の液晶層はフォーカルコニック状態（透明状態）になる。その結果，表示パネル１１の緑の画像が視認可能になる表示状態になる。
【００８０】
一方，電圧切換信号８２がＬレベルの時に，ドライバ出力ＯＮ／ＯＦＦ信号８４がＨレベルの間，フィルタパネル１４の透明電極間に高い電圧±３２Ｖの駆動電圧Ｖｐが印加され，その後印加電圧ゼロにされる。これにより，フィルタパネル１４の液晶層はプレーナ状態（反射状態）になる。その結果，表示パネル１１の緑の画像にフィルタパネル１４からの全面緑の光が重なり，画像が視認不能になる非表示状態になる。
【００８１】
本実施の形態では，液晶層の色調が緑色の例を説明したが，当該色調が青色系，赤色系，シアン系等であっても良い。また，本例では，表示部の駆動にマトリクス状電極を用いたパッシブ駆動を用いたが，ＴＦＴなどを用いるアクティブ駆動，光導電層を用いる光書き込み方式、あるいはセグメント表示方式などを用いることもできる。
【００８２】
また，本実施の形態では，表示パネルの全面をフィルタパネルで覆っているが，一部の領域のみにフィルタパネルを設ける，あるいは，フィルタパネルの一部のみ透明電極を設けることもできる。それにより，表示パネルの一部を表示／非表示の切り替えを行い，他の部分を常に表示状態とすることもできる。
【００８３】
〔第２の実施の形態〕
図１０は，第２の実施の形態における表示装置の断面図である。この表示装置は，青（Ｂ）の表示パネル１０，緑（Ｇ）の表示パネル１１，赤（Ｒ）の表示パネル１２と，緑（Ｇ）のフィルタパネル１４とが積層されている。Ｇのフィルタパネル１４の積層位置は表示パネル１０，１１，１２のいずれの位置でも良い。各表示パネル１０，１１，１２は，上下の透明基板と，それに設けられた複数のデータ電極，走査電極と，それらの間の液晶層とを有する構成であり，Ｇのフィルタパネル１４は，上下の透明基板とベタの透明電極とそれらの間の液晶層とを有する構成である。
【００８４】
図１０の第２の実施の形態の表示装置では，機密情報と非機密情報とを混在させて表示することができ，フィルタパネル１４を反射状態にすると非機密情報は表示したまま機密情報のみを非表示状態にすることができる。
【００８５】
図１１は，第２の実施の形態の表示装置における通常表示状態と機密情報非表示状態の例を示す図である。「ＡＢＣＤＥ」が非機密情報，「ＶＷＸＹＺ」が機密情報とする。この表示装置では，非機密情報の画像「ＡＢＣＤＥ」のデータは白で作成され，機密情報の画像「ＶＷＸＹＺ」のデータは緑で作成される。その結果，非機密情報「ＡＢＣＤＥ」はＲＧＢの表示パネル全てにプレーナ状態（反射状態）で書き込まれ，機密情報「ＶＷＸＹＺ」はＧの表示パネルのみにプレーナ状態で書き込まれる。よって，Ｇのフィルタパネル１４をフォーカルコニック状態（透過状態）にした通常表示状態（Ａ）では，黒地１００に非機密情報「ＡＢＣＤＥ」は白で，機密情報「ＶＷＸＹＺ」は緑でそれぞれ表示される。また，Ｇのフィルタをプレーナ状態（反射状態）にした機密情報隠蔽表示状態（Ｂ）では，緑地１０２に非機密情報「ＡＢＣＤＥ」が白色で表示され，機密情報「ＶＷＸＹＺ」は非表示状態になる。
【００８６】
〔第３の実施の形態〕
図１２は，第３の実施の形態における表示装置の断面図である。この表示装置は，青（Ｂ），緑（Ｇ），および赤（Ｒ）用のコレステリック液晶を用いた液晶表示パネル１０，１１，１２と，Ｂ，Ｇ，Ｒのフィルタパネル１５，１４，１６とを積層した構成を有する。表示側から，Ｂ色フィルタパネル１５，Ｂ色表示パネル１０，Ｇ色フィルタパネル１４，Ｇ色表示パネル１１，Ｒ色フィルタパネル１６，Ｒ色表示パネル１２が積層されており，Ｒ色表示パネルの表示側から遠い側に光吸収層１３を有する。Ｇ色表示パネル１１およびＧ色フィルタパネル１４は，第１の実施の形態と同じである。また，Ｂ色表示パネル１０及びＢ色フィルタパネル１５は，Ｂ色用液晶層を有し，Ｒ色表示パネル１２，Ｒ色フィルタパネル１６は，Ｒ色用液晶層を有し，それ以外の構成はＧ色表示パネル１１およびＧ色フィルタパネル１４と同じである。なお，各パネルの積層順は，この例に限定されるものではなく，任意の順番に積層することができる。ただし，光吸収層１３は最下層の基板に設けられている。
【００８７】
本実施の形態では，Ｒ，Ｇ，Ｂ色表示パネル１０，１１，１２にてカラー画像の表示を行うと共に，Ｒ，Ｇ，Ｂ色フィルタパネル１５，１４，１６のそれぞれを個別または同時に透過状態と反射状態とに切り替えることにより，特定の表示パネルにのみ書き込んだ特定情報の表示／非表示を切り替えることができる。
【００８８】
図１３は，第３の実施の形態の表示装置における通常表示状態と機密情報非表示状態の例を示す図である。図１１と同様に，「ＡＢＣＤＥ」が非機密情報，「ＶＷＸＹＺ」が機密情報とする。機密情報「ＶＷＸＹＺ」を赤色，非機密情報「ＡＢＣＤＥ」を黒で作成したドキュメントを表示すると，機密情報「ＶＷＸＹＺ」が、Ｂ，Ｇ表示パネル１０，１１が透過状態、かつ、Ｒ表示パネル１２にのみ反射状態で書き込まれ，非機密情報「ＡＢＣＤＥ」が，Ｂ，Ｇ，Ｒ色表示パネル１０，１１，１２全てに透過状態で書き込まれる。その結果，Ｒ，Ｇ，Ｂのフィルタパネルがすべて透過状態になる通常表示状態（Ａ）では，白地２００に非機密情報「ＡＢＣＤＥ」が黒で表示され，機密情報「ＶＷＸＹＺ」が赤で表示されて，すべての情報が閲覧可能になる。
【００８９】
一方，Ｂ，Ｇフィルタ１５，１４を反射状態に切り替えて機密情報非表示状態（Ｂ）にすると，白地２０２に非機密情報「ＡＢＣＤＥ」がシアン色
で表示され，機密情報「ＶＷＸＹＺ」が閲覧不可になり，公開可能情報のみ閲覧可の状態になる。また，Ｂ，Ｇ，Ｒ色フィルタパネルをすべて反射状態に切り替えると，すべての情報を閲覧不可にでき，情報作成時の色指定だけで情報の表示／非表示をコントロールすることができる。例えば，Ａグループに公開する情報をＢ色，Ｂグループに公開する情報をＧ色，Ｃグループに公開する情報をＲ色で作成すると，各グループの表示装置ごとに，Ｂ，Ｇ, R色フィルタ部を独立に駆動することにより，異なる情報を容易に配信仕分けることも可能である。
【００９０】
以上のように，第２，第３の実施の形態によれば，機密情報と非機密情報とを混在させて表示しながら機密情報のみを非表示状態にすることができ，ユーザの利便性を高めることができる。なお、ＢとＧ，ＢとＲ，ＧとＲの２色、あるいは、Ｒ，Ｇ，Ｙ，Ｒ色等の４色以上の構成も同様に可能である。
【００９１】
以上の実施の形態をまとめると，次の付記のとおりである。
【００９２】
（付記１）
第１の電極が設けられた第１の基板と，第２の電極が設けられた第２の基板と，前記第１及び第２の基板間に形成され、書き込み状態に応じて所定の波長の光を反射または透過して画像を表示する第１の液晶層とを有する表示パネルと，
前記表示パネルに積層され，第３の電極が設けられた第３の基板と，第４の電極が設けられた第４の基板と，前記第３及び第４の基板間に形成され書き込み状態に応じて前記所定の波長の光を反射または透過する第２の液晶層とを有するフィルタパネルと,
前記表示パネル及びフィルタパネルのうち外光側から最も遠い基板側に設けられた光吸収層とを有し，
前記表示パネルの前記画素が形成された表示領域の少なくとも一部領域に前記フィルタパネルの第２の液晶層が重なるように構成され，
さらに，前記第３，第４の電極間に電圧を印加するフィルタ駆動回路と，
前記フィルタ駆動回路にフィルタ用電圧を供給するフィルタ電圧回路とを有することを特徴とする液晶表示装置。
【００９３】
（付記２）
付記１において，
第１，第２，第３の色の波長の光をそれぞれ反射または透過する第１，第２，第３の前記表示パネルが積層され，
前記光吸収層が前記第１，第２及び第３の表示パネル，および前記フィルタパネルのうち最下層の表示パネルの第２の基板側に設けられ，
前記フィルタパネルは，前記第１，第２または第３の色の波長の光のいずれかを反射または透過することを特徴とする液晶表示装置。
【００９４】
（付記３）
付記２において，
機密情報が前記フィルタパネルと同じ波長の光を反射または透過する第１，第２または第３の表示パネルに書き込まれ，前記フィルタパネルを反射状態にして前記機密情報の表示が隠蔽され，前記フィルタパネルを透過状態にして前記機密情報の表示が行われることを特徴とする液晶表示装置。
【００９５】
（付記４）
付記１において，
第１，第２，第３の色の波長の光をそれぞれ反射または透過する第１，第２，第３の前記表示パネルが積層され，
第１，第２，第３の色の波長の光をそれぞれ反射または透過する第１，第２，第３の前記フィルタパネルが積層されていることを特徴とする液晶表示装置。
【００９６】
（付記５）
付記４において，
前記第１，第２，第３の表示パネルのいずれか１つ，２つまたは３つに機密情報が書き込まれ，
前記第１，第２，第３のフィルタパネルのいずれか１つ，２つまたは３つが反射状態にされて前記機密情報の表示が隠蔽されることを特徴とする液晶表示装置。
【００９７】
（付記６）
付記１において，
前記第１，第２の電極をそれぞれ駆動する第１，第２の表示駆動回路と，前記第１，第２の駆動回路の駆動制御を行う表示駆動制御回路と，前記第１，第２の表示駆動回路に表示駆動電圧を供給する表示電圧回路とを有する表示駆動ユニットに，前記表示パネルが着脱可能に構成されていることを特徴とする液晶表示装置。
【図面の簡単な説明】
【００９８】
【図１】コレステリック液晶を用いたフルカラー表示可能な液晶表示装置の断面構成を示す図である。
【図２】コレステリック液晶を用いた液晶表示装置の表示原理を示す図である。
【図３】赤，緑，青の反射スペクトルを示す図である。
【図４】第１の実施の形態における表示装置の断面図である。
【図５】本実施の形態における表示パネルの駆動回路の構成図である。
【図６】本実施の形態におけるフィルタパネルの駆動回路の構成図である。
【図７】本実施の形態におけるコレステリック液晶の電圧−反射率特性の一例を示す図である。
【図８】本実施の形態における表示パネルの駆動波形の一例を示す図である。
【図９】本実施の形態におけるフィルタパネルの駆動波形の一例を示す図である。
【図１０】第２の実施の形態における表示装置の断面図である。
【図１１】第２の実施の形態の表示装置における通常表示状態と機密情報非表示状態の例を示す図である。
【図１２】第３の実施の形態における表示装置の断面図である。
【図１３】第３の実施の形態の表示装置における通常表示状態と機密情報非表示状態の例を示す図である。
【符号の説明】
【００９９】
１１：表示パネル
１４：フィルタパネル
１０，１１，１２：Ｂ，Ｇ，Ｒ表示パネル
１５，１４，１６：フィルタパネル
【図１】
0005125276.tif 000002
【図２】
0005125276.tif 000003
【図３】
0005125276.tif 000004
【図４】
0005125276.tif 000005
【図５】
0005125276.tif 000006
【図６】
0005125276.tif 000007
【図７】
0005125276.tif 000008
【図８】
0005125276.tif 000009
【図９】
0005125276.tif 000010
【図１０】
0005125276.tif 000011
【図１１】
0005125276.tif 000012
【図１２】
0005125276.tif 000013
【図１３】
0005125276.tif 000014